(57)【要約】【課題】      ユーザーが好みに応じてバッグの外装のデザインを自由に選択変更できる手提げバッグを提供する。【解決手段】      上部が開口した袋体の開口部端縁に提げ手を設けるとともに袋体の外側面に提げ手に沿って第一の係合手段を設けたバッグ本体と、略長方形形状のシート状部材であって一辺に第一の係合手段と着脱自在に係合する第二の係合手段を備えるとともに提げ手を挿通する通し穴を設けた蓋体と、からなり必要に応じてシート状部材をバッグ本体に被せてバッグ本体の外装を変更する構成である。【選択図】  図１
2006042858.tif 000002
【特許請求の範囲】
【請求項１】
上部が開口した袋体の開口部端縁に提げ手を設けるとともに袋体の外側面に提げ手に沿って第一の係合手段を設けたバッグ本体と、
略長方形形状のシート状部材であって一辺に前記第一の係合手段と着脱自在に係合する第二の係合手段を備えるとともに提げ手を挿通する通し穴を設けた蓋体と、
からなり必要に応じてシート状部材をバッグ本体に被せてバッグ本体の外装を変更することを特徴とする手提げバッグ
【請求項２】
前記蓋体は、細長い略長方形のシート状部材の一辺に第二の係合手段を設けた接続部と、該接続部よりも幅広な略長方形のカバー部とからなり、接続部の第二の係合手段を設けない一辺にカバー部の一辺を重ね合わせ、重ね合せた部分の両端を縫合して中央に通し穴を形成したことを特徴とする前記請求項１記載の手提げバッグ
【請求項３】
上部が矩形に開口した袋体の開口部端縁に提げ手を設けるとともに袋体の内側面上部に第一の係合手段および第三の係合手段を対向して設けたバッグ本体と、
略長方形形状のシート状部材であって一辺に前記バッグ本体の第一の係合手段と着脱自在に係合する第二の係合手段を備えるとともに、第二の係合手段の反対側の一辺に前記バッグ本体の第三の係合手段と着脱自在に係合する第四の係合手段を備えた蓋体と、
からなることを特徴とする手提げバッグ
【請求項４】
前記請求項１乃至３記載の第一の係合手段および第二の係合手段と前記請求項３記載の第三の係合手段および第四の係合手段は、
ファスナー、面ファスナー、ボタン、ホック、マグネットであることを特徴とする前記請求項１乃至３記載の手提げバッグ
【発明の詳細な説明】
【技術分野】
【０００１】
本発明は、バッグの外観を改変して外観のデザインを自由に選択して容易に変更ができる手提げバッグに関し、特に、バッグの外装または開口部に異なる外観の素材を係合部材で係止装着することによりバッグのイメージを容易に変更する事が出来るバッグに関する。
【背景技術】
【０００２】
バッグには様々な種類の物が開発されているが、特に手提げ型のバッグは人気があり、多種多様なものが販売されている。ユーザーは通常は店頭に並んだバッグの中から好みの物を選択して購入している。
ユーザーが手提げバッグを選ぶ際には、そのデザインと機能性を選択基準としていると考えられる。デザインとしては手提げバッグ自体の形状だけでなく、外面に使用される素材も重要視されている。例えば、布や動物の皮（または人工の皮）など様々な素材が使用されており、ユーザーは外観の好みだけでなく服装との一体感などを考慮して選択している。また、機能性としては、そのバッグの装着感のほかに、バッグの内部構造なども重要視されている。例えば内部に多くの仕切りを設けたものや、近年では携帯電話用のホルダを内部に設けた構造など、様々な種類の手提げバッグが提案されている。
【０００３】
近年では、このように様々な種類のデザイン・構造からなる手提げバッグが提案されて流通しており、ユーザーは好みの手提げバッグを見つけやすくなったとも考えられる。しかし、ユーザーにとって手提げバッグはデザインと機能性を兼ね備えたものであることが望ましいが、この両方を兼ね備えたバッグはなかなか見つからないのが現実である。例えば、デザインは非常に気に入っているが内部の構造が気に入らない場合もあるし、その逆も考えられる。大抵の場合は、デザインまたは機能性のどちらかを妥協して購入しなければならないのが実状である。また、購入時には気に入っていても、購入後に使いにくさを発見したり、デザインに飽きてしまうことも考えられる。こうした場合、ユーザーは新たにバッグを購入するか、我慢して使用し続けなければならない。その結果、一人で沢山のバッグを揃える必要があり、置き場や処理に困っているのが現実である。
【０００４】
こうした問題を解決するために、ユーザーが外装のデザイン（イメージ）を自由に変更することが出来る手提げバッグが求められていたが、そのような手提げバッグは存在していない。ユーザーの好みに応じてデザインを自由に選択できる手提げバッグの開発が待たれていた。
【特許文献１】実用新案登録第３０９２４００号
【特許文献２】実用新案登録第３０９３１６７号
【特許文献３】実用新案登録第３０９４４６３号
【発明の開示】
【発明が解決しようとする課題】
【０００５】
本発明は、ユーザーが好みに応じてバッグの外装のデザインを自由に選択変更できる手提げバッグを提供することを目的としている。
【課題を解決するための手段】
【０００６】
上記の目的を達成するために本発明に係る手提げバッグは、上部が開口した袋体の開口部端縁に提げ手を設けるとともに袋体の外側面に提げ手に沿って第一の係合手段を設けたバッグ本体と、略長方形形状のシート状部材であって一辺に第一の係合手段と着脱自在に係合する第二の係合手段を備えるとともに提げ手を挿通する通し穴を設けた蓋体とからなり必要に応じてシート状部材をバッグ本体に被せてバッグ本体の外装を変更する構成である。
また、蓋体は、細長い略長方形のシート状部材の一辺に第二の係合手段を設けた接続部と、接続部よりも幅広な略長方形のカバー部とからなり、接続部の第二の係合手段を設けない一辺にカバー部の一辺を重ね合わせ、重ね合せた部分の両端を縫合して中央部に通し穴を形成した構成である。
【０００７】
更に、上部が矩形に開口した袋体の開口部端縁に提げ手を設けるとともに袋体の内側面上部に第一の係合手段および第三の係合手段を対向して設けたバッグ本体と、略長方形形状のシート状部材であって一辺にバッグ本体の第一の係合手段と着脱自在に係合する第二の係合手段を備えるとともに、第二の係合手段の反対側の一辺にバッグ本体の第三の係合手段と着脱自在に係合する第四の係合手段を備えた蓋体とからなる構成である。
前述の第一の係合手段および第二の係合手段と第三の係合手段および第四の係合手段は、ファスナー、面ファスナー、ボタン、ホック、マグネットからなる構成とすることが出来る。
【発明の効果】
【０００８】
以上に説明した本発明に係る手提げバッグによれば、
１．別の蓋体を提げ手に挿通することにより自由に交換することが出来るため、様々な外観を楽しむことが出来る手提げバッグを提供できる。また、利用者はデザインに飽きたり蓋体が破損した場合であっても、蓋体だけを交換変更すればよく、安価で様々な外装デザインの手提げバッグを楽しむことができる。逆に、内部構造に使いにくさを感じた場合であっても、内部構造の異なるバッグ本体を購入し、気に入ったデザインの蓋体を装着して使うこともできる。
２．重ね合わせて縫合した構成であるため、製造が容易であり、蓋体の装着も簡単である。
【０００９】
３．バッグの上部の開口に蓋体を取り付けることにより、内部が見えないようにするとともに外観のイメージが変わるので、バッグ本体の外観を生かしたデザインを楽しむことができる。
４．また、係合手段にファスナー、面ファスナー、ボタン、フック、マグネットなどを使用することが可能であり、どの手段を用いても、容易に蓋体の着脱を行うことができる。また、これらはファッション性を向上させるという演出効果も有する。
【発明を実施するための最良の形態】
【００１０】
以下に、本発明に係る手提げバッグ１０の実施例を図面により詳細に説明する。図１ａ、ｂは本発明の実施例１の手提げバッグと各種蓋体Ａ〜Ｃの斜視図であり、図２ａ〜ｃは本発明の実施例１の手提げバッグ本体に蓋体を取り付ける工程と取り付けた状態を示す斜視図である。なお、図３ａ、ｂは本発明の別の実施例２の取り付け状態と内部構造を分解した斜視図であり、図４ａ〜ｃは本発明の別の実施例２の手提げバッグと各種蓋体Ｄ〜Ｆの斜視図であり、詳細は下記の実施例２に関連して詳述する。
【実施例１】
【００１１】
本発明の手提げバッグ１０は、バッグ本体２０と、第一の係合手段３０と、蓋体４０と、第二の係合手段５０と、通し穴６０とからなる構成であり、バッグの外装を変更する場合は、提げ手に着脱可能な蓋体を挿通させて被せる構造である。
バッグ本体２０は、後述する蓋体４０を装着する第一の係合手段３０を設けることが出来ればどのような形状のバッグであってもよく、従来の手提げバッグと同様の形状を選択することができる。材質やバッグの内部構造も特に限定されず、所望の材質、構造を選択することができる。バッグ本体の構造や材質については従来の技術をそのまま引用することができるため、ここでは詳述を避ける。
【００１２】
提げ手２２は、手提げバッグと同様の素材の紐状体の両端をそれぞれ手提げバッグの開口部端縁に装着して固定した構成である。この実施例では、一対の提げ手２２を開口部上部端縁（周縁）の対向する位置に設けた構成である。なお、提げ手２２は開口部端縁付近であれば位置を若干移動して設けることも可能である。例えば、この実施例のバッグ本体２０では開口部の外側面の、開口部端部より少し下の位置に提げ手を設けている。
【００１３】
なお、本発明は提げ手を設けない構成にも応用することができる。例えば、この実施例のバッグ本体２０は、開口部両端に円環状の係合部を設けており、肩掛け紐を装着して肩掛けバッグとすることも可能となるように構成している。このような肩掛け紐を設けた肩掛けバッグにおいても本発明を応用適用することが可能である。さらに、提げ手等を一切設けていないハンドバッグなどにも応用適用することが可能である。
【００１４】
第一の係合手段３０は、後述する蓋体４０に設けられた第二の係合手段５０と係合し、バッグ本体２０に蓋体４０を着脱自在に装着するための係合部である。この実施例では、第一の係合手段としてファスナーを選択しており、バッグ本体２０は外側面に提げ手２２に沿ってファスナーが設けられている。第一の係合手段３０は第二の係合手段５０と着脱自在に係合することが出来ればよく、この実施例のファスナー以外にも面ファスナー、ボタン、フック、マグネットなどを選択することができる。ただし、第一の係合手段３０と第二の係合手段５０は、蓋体４０の開閉時に容易に外れない程度にしっかりと係合する必要がある。この実施例のようにファスナーを使用すれば、通常の使用では容易に外れることがなく、蓋体４０の交換も容易に行うことが出来る。
【００１５】
蓋体４０は、略長方形形状のシート状部材の一辺に第二の係合手段５０を設けるとともに、装着時に提げ手２２を挿通するための通し穴６０を設けた、手提げバッグ１０の開口部とバッグ本体の片側を全体的に覆うための部材である。この実施例の蓋体４０は、第二の係合手段５０が設けられた接続部４２とカバー部４４を両端の縫合部４６で縫合し、通し穴６０を形成した構成である。蓋体４０は、第二の係合手段５０と第一の係合手段３０の係合を開閉することにより、バッグ本体２０と自在に着脱することができる。
【００１６】
接続部４２は細長い略長方形のシート状部材であり、長辺の片側に第二の係合手段５０が設けられるとともに、他端はカバー部４４と縫合される。カバー部４４は蓋体をバッグ本体の提げ手に挿通した状態で、バッグの表面を覆う部材である。この実施例では接続部４２とカバー部４４は丈夫な糸により縫合される構成としているが、縫合の他にも接着する構成とすることもできる。なお、接続部４２およびカバー部４４のサイズは、バッグの大きさや提げ手の位置を考慮して適宜の大きさに設定することが出来る。
【００１７】
通し穴６０は、蓋体４０をバッグ本体２０に装着した際に、バッグ本体２０に設けられた提げ手２２を挿通するために設けられた貫通穴である。この実施例のバッグ本体２０は、一対の提げ手２２を開口部端縁の対向する位置に設けた構成であり、通し穴６０はこの提げ手を丁度貫通させる位置に設けられている。通し穴６０の長さまたは大きさは、提げ手２２の幅または形状に合せて適宜の大きさに設定すればよく、特に限定されるものではない。
【００１８】
なお、この実施例の通し穴６０は、接続部４２とカバー部４４を重ね合わせて両端の縫合部４６で縫合することにより形成されるが、単に一枚のシート状部材の適宜の位置を切断してスリットを設けた構成としてもよい。スリットを形成する場合は一枚のシート状部材で形成することができるため、製造が容易であるという利点がある。しかし、単にスリットを形成した構成では、使用により徐々にスリットの両端部が裂ける等の問題が懸念される。この実施例のように構成すれば、使用によって通し穴６０の両端が裂けることがなく、長期間の使用にも充分耐えることができる。
【００１９】
この実施例では蓋体４０は、バッグ本体２０の第一の係合手段を設けない片側の外側面の全体を覆うことが出来る程度の大きさに設定されている。蓋体４０は、開口部を覆うことが出来れば大きさは自由に設定することができる。また、本発明では蓋体４０を略長方形形状としたが、開口部を覆うことができればどのような形状であってもよい。例えば、カバー部は逆三角形形状などにすることも可能である。
【００２０】
また、蓋体４０の材質は従来のバッグで使用されている材質であれば、どのような材質であってもよく、適宜の材質を選択することが可能である。皮製または毛皮製、さらには表面に毛皮等を貼り付けた素材や、デザインされた模様を施した布などを選択することができる。バッグ本体２０に対して装着可能な複数のデザインの蓋体４０を用意することで、ユーザーは所望のデザインの蓋体４０を選択して自由に交換することが可能である。また、同一の形状の第一の係合手段３０を設けた異なる構造のバッグであれば、各種の蓋体４０を流用して多種の多様な変化を楽しむ事が出来る。
【実施例２】
【００２１】
本発明の実施例２の手提げバッグを図面により詳細に説明する。図３ａ、ｂは本発明の別の実施例２の手提げバッグの取り付け状態を示す斜視図と内部構造を分解した斜視図であり、図４（ａ）は本発明の実施例２の蓋体の斜視図であり、図４（ｂ）は本発明の実施例２の二対の提げ手のあるバッグ本体の斜視図であり、図４（ｃ）は各種蓋体Ｄ〜Ｆの斜視図である。
本発明の別の実施例２の手提げバッグ１１０は、バッグ本体１２０と、バッグ本体の内側に対向して設けられた第一の係合手段１３０および第三の係合手段１３２と、蓋体１４０と、蓋体１４０に設けられた第二の係合手段１５０および第四の係合手段１５２からなる構成である。
【００２２】
バッグ本体１２０は、開口部の内側に蓋を設けることが出来れば従来の手提げバッグと同様の構成であってもよく、その形状は特に限定されない。図３に示すこの実施例２のバッグ本体は、底広がりの箱体の上部開口の端縁に提げ手１２２が設けられた構成である。提げ手１２２の形状は適宜の形状を選択することができる。
【００２３】
図３（ｂ）で示す第一の係合手段１３０は、後述する蓋体１４０に設けられた第二の係合手段１５０と着脱自在に係合する係合部であり、バッグ本体１２０の内側面に設けられている。第一の係合手段１３０は、蓋体の開閉時に蓋体が容易に外れない程度にしっかりと装着されればどのような構造であってもよい。この実施例では、比較的強固に係合することができる金属製のボタンを採用しているが、ファスナー、面ファスナー、ホック、マグネットなどを選択することも出来る。なお、この実施例では３つのボタンを用いて固定する構成としているが、蓋体１４０をしっかりと固定することができればボタンの数は限定されない。
【００２４】
第三の係合手段１３２は、後述する蓋体１４０に設けられた第四の係合手段１５２と着脱自在に契合する係合部である。図４（ｂ）に示すように、第三の係合手段１３２は、蓋体１４０を装着した際に第四の係合手段１５２と対応する位置に設けられた構成である。第一の係合手段と異なり、第三の係合手段１３２は蓋体の開閉時に着脱を行う構成である。従って、この実施例２では比較的取り外しがしやすいようにマグネットを用いた構成としているが、第一の係合手段と同様にファスナー、面ファスナー、ボタン、ホックなどを選択することも出来る。
【００２５】
蓋体１４０は、手提げバッグ１１０の開口部端縁の内側に装着された中蓋である。図３（ｂ）に示すこの実施例の蓋体１４０は、上向きに凸に湾曲した長方形形状のシート状部材の片端付近を上に折り曲げた構成である。また、折り曲げた側には第四の係合手段１５２が設けられており、他端には第二の係合手段１５０を設けた構成である。蓋体１４０は、第二の係合手段および第四の係合手段を備えていればどのような形状であってもよく、この実施例の形状には限定されない。
【００２６】
第二の係合手段１５０は、バッグ本体の内側面に設けられた第一の係合手段１３０と係合する係合部であり、この実施例では第一の係合手段の対となるボタンを採用している。第一の係合手段と同様、通常の使用において蓋体１４０が容易に外れることがなければどのような構造であってもよい。また、第四の係合手段も、第三の係合手段と同様にマグネットを採用した構成であるが、蓋体の開閉時に容易に着脱できればどのような構造であってもよい。
【００２７】
蓋体１４０は、バッグ本体に装着することができればどのような形状・材質であってもよく、デザインは特に限定されることがない。従って、実施例２の手提げバッグ１１０では、バッグ本体１２０に対して、複数のデザインの蓋体１４０を設けることにより、ユーザーは所望の蓋体１４０を選択して自由に交換することが出来る。
なお、実施例１および実施例２の蓋体を両方備えた構成の手提げバッグも、本件発明を応用すれば容易に提供することができる。また、実施例１と同様に、肩掛けバッグやハンドバッグなどにも応用することが可能である。さらに、同一の第一の係合手段３０を設けた異なる構造のバッグであれば、蓋体４０を流用することが出来る。
【図面の簡単な説明】
【００２８】
【図１】（ａ）本発明の実施例１の手提げバッグの斜視図（ｂ）各種蓋体Ａ〜Ｃの斜視図
【図２】本発明の実施例１の手提げバッグ本体に蓋体を取り付ける工程と取り付けた状態を示す斜視図
【図３】（ａ）本発明の別の実施例２の手提げバッグの取り付け状態を示す斜視図（ｂ）本発明の別の実施例２の手提げバッグの内部構造を分解した斜視図
【図４】（ａ）本発明の実施例２の蓋体の斜視図（ｂ）本発明の実施例２の二対の提げ手のあるバッグ本体の斜視図（ｃ）各種蓋体Ｄ〜Ｆの斜視図
【符号の説明】
【００２９】
１０  手提げバッグ
２０  バッグ本体
２２  提げ手
３０  第一の係合手段
４０  蓋体
４２  接続部
４４  カバー部
４６  縫合部
５０  第二の係合手段
６０  通し穴
１１０  手提げバッグ
１２０  バッグ本体
１２２  提げ手
１３０  第一の係合手段
１３２  第三の係合手段
１４０  蓋体
１５０  第二の係合手段
１５２  第四の係合手段
【図１】
2006042858.tif 000003
【図２】
2006042858.tif 000004
【図３】
2006042858.tif 000005
【図４】
2006042858.tif 000006